(57)【要約】【課題】扉構造の一部を利用し、降雨時に外扉を開いて商品ローディングなどの作業を行う際に、前記扉を屋根代わりにして作業員や電装品が雨に濡れないように雨避け機能を持たせた自動販売機を提供する。【解決手段】庫内に商品収納ラック３を搭載したキャビネット本体１の前面に外扉２，および上部内扉８および下部内扉９からなる上下二分割構造の断熱内扉を配し、商品ローディング時に外扉および断熱内扉の上部扉を開いて前方から商品収納ラックに商品補給を行うようにした自動販売機において、前記の上部内扉８の上縁を蝶番１２を介して外扉の背面扉に取り付けて水平，垂下姿勢に上げ下げ可能に支持し、降雨時に作業を行う際には外扉２を開いた上で、上部内扉８を図示鎖線位置に押し上げて支持棒１３で支え、この扉を屋根代わりにして作業員，各種電装品１１が雨に濡れるのを防ぐようにする。【選択図】      図１
2005044042.tif 000002
【特許請求の範囲】
【請求項１】
庫内に商品収納ラックを搭載した断熱筐体になるキャビネット本体の前面に外扉，および上下に二分割した断熱内扉を配し、商品ローディング時に外扉および断熱内扉の上部扉を開いて前方から商品収納ラックに商品補給を行うようにした自動販売機において、
前記断熱内扉の上部内扉を外扉の背面扉に取り付け、かつ扉上縁を支点として水平，垂下姿勢に上げ下げ可能に支持したことを特徴とする自動販売機。
【請求項２】
請求項１に記載の自動販売機において、断熱内扉の上部内扉を、蝶番を介して外扉の背面扉に取り付けるとともに、さらに該上部内扉を水平姿勢に押し上げた位置に支える支持具を備えたことを特徴とする自動販売機。
【発明の詳細な説明】
【０００１】
【発明の属する技術分野】
本発明は機内にサーペンタイン式商品収納ラックを搭載して缶，びん，ペットボトル商品を販売する自動販売機に関し、詳しくはそのキャビネットの扉構造に係わる。
【０００２】
【従来の技術】
まず、頭記した自動販売機の従来における一般的な構造を図３に示す。図において、１は断熱筐体になるキャビネット本体、２はその前面に配した外扉、３はキャビネット本体１の庫内に収設した商品収納ラック（サーペンタイン式商品収納ラック）、４は商品収納ラック３の上部前面に開口した商品投入口、５は商品搬出シュータ、６は商品搬出シュータ５に連通して外扉２の下部に開口した商品取出口、７は通常中扉と呼ばれる外扉２の背面扉（外扉２に画成したディスプレイ室の裏蓋）、８，９はキャビネット本体１の庫内前面を覆うように外扉２の背後に配した上下二分割構造になる断熱内扉の上部内扉および下部内扉、１０は下部内扉９に設けた商品搬出用小扉、１１は外扉２の裏面側に配置した金銭処理，販売制御に関係する各種の電装品である。
【０００３】
ここで、前記の断熱内扉に関して、その上部内扉８は商品ローディング時に外扉２を開放した状態で前方から商品収納ラック３の商品投入口４へ即アクセスして商品補給が行えるように、外扉２の背面扉７に固定して一体に取り付けられている。これに対して、下部内扉９は外扉２を開いた状態でも商品収納ラック３の前面を覆って庫内への外気侵入を最小限に抑えるように、外扉２と同様に矢印Ａ方向に開閉する片開き式扉としてその吊り側がヒンジ金具を介してキャビネット本体１の前縁に取り付けられている。
【０００４】
ところで、屋外設置の自動販売機に対して、降雨時に外扉２を開いて商品ローディング，売上金回収などの作業を行う場合には、自動販売機に雨避け対策を施してないと作業員が雨に濡れて作業がやり難いほか、機内に雨が浸入して商品を濡らしたり、外扉２の裏面に装備した電装品１１が濡れて故障を引き起こしたりするおそれがある。
【０００５】
そのために、屋外設置の自動販売機に対する雨避け対策が望まれており、その対策の一つとして自動販売機の上面側に金属板あるいはプラスチック板で作られた雨避けカバーを取り付け、外扉を開いた際に庇状に引き出した前記雨避けカバーでキャビネット本体と外扉との間の作業場所を覆うようにしたものも知られている（例えば、特許文献１参照。）。
【０００６】
【特許文献１】
実開平６−３７９６９号公報
【０００７】
【発明が解決しようとする課題】
前記特許文献１に開示されている雨避けカバーは、自動販売機の雨避け対策として一応の効果があるものの、降雨時以外の平常時でもこの雨避けカバーが自動販売機の上面に載っているために外見上での体裁を損なう難点がある。
【０００８】
そこで、本発明は自動販売機に装備されている扉構造の一部を巧みに利用し、降雨時に外扉を開いて商品ローディングなどの作業を行う際に、その扉を屋根代わりに開いて作業員や電装品が雨に濡れないように雨避け機能を持たせた自動販売機を提供することを目的とする。
【０００９】
【課題を解決するための手段】
上記目的を達成するために、本発明によれば、庫内に商品収納ラックを収設した断熱筐体になるキャビネット本体の前面に外扉，および上下に二分割した断熱内扉を配し、商品ローディング時に外扉および断熱内扉の上部扉を開いて前方から商品収納ラックに商品補給を行うようにした自動販売機において、
前記断熱内扉の上部内扉を外扉の背面扉に取り付け、かつ扉上縁を支点として水平，垂下姿勢に上げ下げ可能に支持するものとし（請求項１）、その具体的な支持構造として前記上部内扉を蝶番を介して外扉の背面扉に取り付け、さらに該上部内扉を水平姿勢に押し上げた位置に支える支持具を備えた構成とする（請求項２）。
【００１０】
上記の構成において、通常は上部内扉を垂下姿勢に畳んで外扉の背面扉に重ね合わせた位置に保持し、外扉を閉じた状態ではこの上部内扉が商品収納ラックの商品投入口の前面を覆って庫内外の間を断熱している。一方、雨の降る中で自動販売機に商品ローディングなどの作業を行う際には、外扉を開いた上で上部内扉を垂下姿勢から水平姿勢に押し上げた上で、支持具を使って扉をこの位置に保持させる。これにより、上部内扉が外扉からキャビネット本体側に向け屋根代わりに張り出して作業場所の上方を覆うので、作業者や電装品が雨に濡れるのを防ぐことができる。
【００１１】
【発明の実施の形態】
以下、本発明の実施の形態を図１，図２に示す実施例に基づいて説明する。なお、実施例の図中で図３に対応する部材には同じ符号を付してその説明は省略する。
【００１２】
すなわち、図示実施例においては、外扉２の背後に配した上下二分割構造の断熱内扉について、その下部内扉９は図３の従来構造と同様に片開き式扉として開閉可能に取り付けられているのに対し、上部内扉８は外扉２の背面扉７に対して扉上縁側に取り付けた蝶番１２を介して矢印Ｂ方向へ上げ下げ可能に支持されている。また、上部内扉８には図２で表すように支持棒１３を設け、上部内扉８を水平姿勢に押し上げた際に支持棒１３の先端を背面扉７に設けた留め具１４に引っ掛けて支えるようにしている。
【００１３】
そして、通常は上部内扉８を外扉２の背面扉７と重なり合うように垂下姿勢に畳んでおく。この状態で外扉２を閉じると、上部内扉８は庫内に収設した商品収納ラック３の商品投入口４を覆って断熱内扉として機能する。
【００１４】
一方、雨の降る中で自動販売機に商品ローディングなどの作業を行う際には、外扉２を開いた上で上部内扉８を垂下姿勢から図２で表すように水平姿勢に張り出した位置に押し上げた上で、支持棒１３を使って扉をこの位置に保持させる。これにより、上部内扉８が外扉２からキャビネット本体１に向けて屋根代わりに張り出して作業場所の上方を覆うことになるので、作業者は雨に濡れずに作業を行うことができる。また、外扉２の裏面側に配置した各種電装品１１が雨で濡れるのも防げる。なお、作業の終了後は上部内扉８を元の垂下姿勢に戻しておくようにする。
【００１５】
【発明の効果】
以上述べたように、本発明によれば、庫内に商品収納ラックを搭載した断熱筐体になるキャビネット本体の前面に外扉，および上下に二分割した断熱内扉を配し、商品ローディング時に外扉および断熱内扉の上部扉を開いて前方から商品収納ラックに商品補給を行うようにした自動販売機において、前記断熱内扉の上部内扉を外扉の背面扉に蝶番を介して取り付け、扉上縁を支点として水平，垂下姿勢に上げ下げ可能に支持したことにより、
降雨時に自動販売機に商品ローディングなどの作業を行う場合でも、外扉を開いた上で上部内扉を水平姿勢に押し上げてこの位置に保持することで、上部内扉が外扉からキャビネット本体側に向け屋根代わりに張り出して作業場所の上方を覆うようになり、これにより作業者や電装品が雨に濡れるのを防止できる。
【００１６】
しかも、常時はこの上部内扉が庫内の断熱内扉として機能するよう垂下姿勢に畳まれていて自動販売機の外観を損なうおそれもないなど、自動販売機の扉構造を利用した雨避け対策として優れた効果が得られる。
【図面の簡単な説明】
【図１】本発明の実施例による扉開放状態を表す自動販売機の正面から見た外観図
【図２】図１における上部内扉を水平姿勢に押し上げ支持した状態を表す斜視図
【図３】従来における自動販売機の扉開放状態を表す外観図
【符号の説明】
１    キャビネット本体
２    外扉
３    商品収納ラック
４    商品投入口
７    外扉の背面扉
８    上下二分割形断熱内扉の上部内扉
９    上下二分割形断熱内扉の下部内扉
１２    蝶番
１３    支持棒
【図１】
2005044042.tif 000003
【図２】
2005044042.tif 000004
【図３】
2005044042.tif 000005